(57)【要約】【課題】換気能力が高く、空気通路を一定品質にできる軒下換気装置および軒下換気構造を提供する。【解決手段】軒下換気装置１は、断面がリップ溝型状で長手方向に沿って凹部１１ａが形成された本体部１１と、上記本体部１１内で上記長手方向に沿って配置された水返し板１２とを備えており、上記本体部１１の凹部１１ａには対向配置で第１換気口１１ｂが形成されており、上記対向配置された第１換気口１１ｂの間の凹部底部１１ｃの裏面に対向する側には上記長手方向に沿って第２換気口１１ｄが形成されている。【選択図】図２
2014190080.tif 000002
【特許請求の範囲】
【請求項１】
断面が溝型状で長手方向に沿って凹部が形成された本体部と、上記本体部の凹部に対向配置で形成された第１換気口と、上記本体部に形成された第２換気口とを備えたことを特徴とする軒下換気装置。
【請求項２】
請求項１に記載の軒下換気装置において、上記本体部内に上記長手方向に沿って水返し板が配置されていることを特徴とする軒下換気装置。
【請求項３】
請求項２に記載の軒下換気装置において、上記水返し板が上記凹部の底部に配置されていることを特徴とする軒下換気装置。
【請求項４】
請求項２または請求項３に記載の軒下換気装置において、上記水返し板の両側に水返し片が上記第１換気口の一部に対向して形成されていることを特徴とする軒下換気装置。
【請求項５】
請求項１〜請求項４のいずれか１項に記載の軒下換気装置において、上記第２換気口は、上記対向配置された第１換気口の間の凹部の底部に対向する箇所に上記長手方向に沿って形成されていることを特徴とする軒下換気装置。
【請求項６】
請求項１〜請求項５のいずれか１項に記載の軒下換気装置において、上記本体部と鼻隠し水切り部材とが一体化され、上記鼻隠し水切り部材には上記第２換気口に連通する開口部が形成されていることを特徴とする軒下換気装置。
【請求項７】
請求項１〜請求項６のいずれか１項に記載の軒下換気装置において、傾斜配置された状態で、上記対向配置の第１換気口における上側位置の第１換気口から水返しされた水が滴下されることを特徴とする軒下換気装置。
【請求項８】
請求項１〜請求項７のいずれか１項に記載の軒下換気装置が軒下に設けられた軒下換気構造であって、上記第２換気口が鼻隠し下地よりも外側で野地板の下面側に連通していることを特徴とする軒下換気構造。
【請求項９】
請求項８に記載の軒下換気構造において、上記軒下換気装置は、水返しされた水が軒下に設けられた樋に滴下されることを特徴とする軒下換気構造。
【発明の詳細な説明】
【技術分野】
【０００１】
この発明は、軒下に配置されて外気を建物内に取り込む軒下換気装置および軒下換気構造に関する。
【背景技術】
【０００２】
特許文献１には、両側に複数の換気孔を有する巾広の凹部底面を有し、かつ凹部底面の両側に水切り部、取付部を一体的に連設してなる略逆ハット型広子舞を野地板の先端部に取付けることによって、上記略逆ハット型広子舞と屋根瓦との間に空気通路を構成した小屋裏の換気構造が開示されている。
【先行技術文献】
【特許文献】
【０００３】
【特許文献１】特開２００１−３４９０２３号公報
【発明の概要】
【発明が解決しようとする課題】
【０００４】
しかしながら、上記従来の換気構造では、鼻隠しの外側に換気口が形成されるので防火性が向上するものの、上記換気口は平面的に形成されているため、大面積が必要になるわりに高い換気能力が望めない。また、樋に対向して換気口が形成されているため、雨水が上記換気口に入り込みやすい。また、上記略逆ハット型広子舞を家屋の一部に向かい合わせることで軒下に空気通路を形成するため、施工が容易でなく、現場施工者が未熟練者であると、上記軒下の空気通路の形成に不具合を生じさせるおそれがある。また、上記略逆ハット型広子舞が鼻隠し下地を跨ぐように設けられる必要があるため、この点からも、施工が容易でない。
【０００５】
この発明は、上記の事情に鑑み、換気能力が高く、建物への取り付けが容易で空気通路を一定品質にできる軒下換気装置および軒下換気構造を提供することを課題とする。
【課題を解決するための手段】
【０００６】
この発明の軒下換気装置は、上記の課題を解決するために、断面が溝型状で長手方向に沿って凹部が形成された本体部と、上記本体部の凹部に対向配置で形成された第１換気口と、上記本体部に形成された第２換気口とを備えたことを特徴とする軒下換気装置。
【０００７】
上記の構成であれば、上記本体部の凹部において対向配置に第１換気口が形成されており、立体的な換気口配置となるので、小型でありながら高い換気能力を得ることができる。また、上記本体部に形成された第１換気口から第２換気口にかけての当該本体部自体の空間が空気通路となるので、現場施工者の熟練度にかかわりなく軒下の空気通路を一定品質にでき、建物への取り付けも容易である。
【０００８】
上記本体部内に上記長手方向に沿って水返し板が配置されていてもよい。これによれば、雨水の浸入を防止できる。また、上記水返し板が上記凹部の底部に配置されていてもよい。これによれば、上記第１換気口に近い位置に上記水返し板が位置することになり、雨水の分離が効率的に行える。上記水返し板の両側に水返し片が上記第１換気口の一部に対向して形成されていてもよい。これによれば、上記水返し片によって雨水の分離が一層効率的に行えるようになる。
【０００９】
上記第２換気口は、上記対向配置された第１換気口の間の凹部の底部に対向する箇所に上記長手方向に沿って形成されていてもよい。
【００１０】
上記本体部と鼻隠し水切り部材とが一体化され、上記鼻隠し水切り部材には上記第２換気口に連通する開口部が形成されていてもよい。これによれば、上記鼻隠し水切り部材を建物の鼻隠しに固定することによって上記本体部が建物に装着されることになり、作業性が向上する。
【００１１】
傾斜配置された状態で、上記対向配置の第１換気口における上側位置の第１換気口が、水返しされた水を滴下させるようにしてもよい。これによれば、水返しされた水が上記本体部内に溜まり続けるのを防止できる。
【００１２】
また、この発明の軒下換気構造は、上記の軒下換気装置が軒下に設けられた軒下換気構造であって、上記第２換気口が鼻隠し下地よりも外側で野地板の下面側に連通していることを特徴とする。このような構成では広子舞が不要になり、軒の構造が簡単化される。上記軒下換気構造において、水返しされた水が軒下に設けられた樋に滴下されるようにしてもよい。これによれば、水返しされた水が軒下の地面に滴下するのを防止できる。また、上記樋の存在で上記軒下換気装置が見えにくくなり、建物の意匠性が向上する。
【発明の効果】
【００１３】
本発明であれば、換気能力が高く、建物への取り付けが容易で空気通路を一定品質にできるという効果を奏する。
【図面の簡単な説明】
【００１４】
【図１】本発明の実施形態にかかる軒下換気装置の平面および矢視断面を示した図である。
【図２】図１の軒下換気装置が設けられた軒下換気構造を示した説明図である。
【図３】図１の軒下換気装置が設けられた軒下換気構造を立体的に示した説明図である。
【発明を実施するための形態】
【００１５】
以下、この発明の実施の形態を添付図面に基づいて説明する。
図１および図２に示すように、この実施形態の軒下換気装置１は、建物の軒５の長手方向に沿って配置される。そして、上記軒下換気装置１は、断面がリップ溝型状で長手方向に沿って凹部１１ａが形成された本体部１１と、上記本体部１１内で上記長手方向に沿って配置された水返し板１２とを備えている。なお、上記本体部１１の両端には図示しない蓋部材が取り付けられており、また、この蓋部材には水抜き穴が設けられている。
【００１６】
上記本体部１１の凹部１１ａには、多数のスリットを有した第１換気口１１ｂが対向配置に形成されている。上記スリットは、幅が０．２ｃｍ、長さが０．４ｃｍの長方形状を有し、スリット間隔が０．２ｃｍとされ、各々の第１換気口１１ｂにおいて１ｍ当たり２０ｃｍ２の開口面積が得られるように設計される。もちろん、これは一例であり、これ以外の開口面積を得るようにしてもよい。
【００１７】
そして、上記対向配置された第１換気口１１ｂの間に位置する凹部底部１１ｃの裏面に対向する側には、上記長手方向に沿って第２換気口１１ｄが形成されている。上記第２換気口１１ｄは、例えば塩ビ鋼板などを溝型状に曲げて上記本体部１１を形成したときの上記鋼板の両縁の離間により形成されている。
【００１８】
上記水返し板１２は、上記凹部底部１１ｃの裏面側にリベット２によって固定されている。また、上記水返し板１２の両側には、曲げ加工によって水返し片１２ａが形成されている。上記水返し片１２ａは、上記第１換気口１１ｂの一部に対向して位置している。
【００１９】
上記本体部１１は鼻隠し水切り部材１３に一体化されている。上記鼻隠し水切り部材１３は、例えば塩ビ鋼板からなり、鼻隠し下地５４の屋外面に固定される垂直面部と、この垂直面部の上側に位置し、屋根の傾斜に沿う傾斜部と、上記垂直面部の下側に位置し、軒天板５６の下側に回り込む下縁部とを有する。上記軒下換気装置１は、上記傾斜部の下面に上記本体部１１がリベット３によって固定されることで一体化されている。上記鼻隠し水切り部材１３の上記傾斜部には、上記第２換気口１１ｄに連通する開口部１３ａが形成されている。上記第２換気口１１ｄは、上記鼻隠し水切り部材１３の上記開口部１３ａを介して野地板５１の下面側に連通する。上記第２換気口１１ｄは、上記鼻隠し下地５４よりも外側で野地板５１の下面側に連通する。なお、広子舞を設け、上記第２換気口１１ｄが上記鼻隠し下地５４よりも外側で上記広子舞の下面側に連通するようにしてもよい。
【００２０】
軒先の屋根瓦５０と上記野地板５１との間に水切り５２の上部が差し込まれている。そして、上記水切り５２の先端部には曲げ部が形成されており、この曲げ部内に上記鼻隠し水切り部材１３における上記傾斜部の先端が係合している。
【００２１】
図３に示しているように、外気は上記第１換気口１１ｂから本体部１１内に入り込み、上記水返し板１２によって水返しされ、上記凹部底部１１ｃの裏面側に導かれる。そして、外気は、上記第２換気口１１ｄから上記鼻隠し水切り部材１３の上記開口部１３ａを通って野地板５１の下面側に至る。
【００２２】
また、上記軒下換気装置１が軒下に傾斜配置された状態で、上記対向配置の第１換気口１１ｂにおける上側位置の第１換気口１１ｂが、水返しされた水を滴下させる。すなわち、上記第１換気口１１ｂのスリットの下側となる縁が、上記凹部１１ａの対向面の下端から上記本体部１１の下面部に至ることで、水返しされた水が上記凹部１１ａの対向面の下端と上記本体部１１の下面部との間の角部に溜まり難いようになっている。
【００２３】
上記鼻隠し水切り部材１３の上記傾斜部の上面側と上記野地板５１との間の隙間空間、上記鼻隠し下地５４の上面側と上記野地板５１との間の隙間空間、軒天板５６の上方空間、および外壁の内側の小屋裏空間によって換気路が形成される。上記換気路を通じて外気が小屋裏に導かれ、また小屋裏内の空気が屋外に出されることになる。ここで、図２に示しているように、上記鼻隠し下地５４の室内側の面には段部５４ａが形成されており、この段部５４ａに垂木５５の先端側の下端部が係合している。上記段部５４ａによって上記垂木５５の位置、すなわち上記野地板５１の位置が決まることになり、上記隙間空間の寸法精度を高めることができる。
【００２４】
上記軒５の下方に樋５３が設けられている。この樋５３は、上記軒下換気装置１で水返しされた水が滴下する位置に設けられる。
【００２５】
上記の構成であれば、上記本体部１１の凹部１１ａにおいて対向配置に第１換気口１１ｂが形成されており、立体的な換気口配置となるので、小型でありながら高い換気能力を得ることができる。また、上記本体部１１に形成された第１換気口１１ｂから第２換気口１１ｄにかけての当該本体部１１自体の空間が空気通路となるので、現場施工者の熟練度にかかわりなく、軒下の空気通路を一定品質にできる。
【００２６】
上記本体部１１内で上記長手方向に沿って水返し板１２が配置されていると、雨水の浸入を防止できる。上記水返し板１２が上記凹部底部１１ｃに配置されていると、上記第１換気口１１ｂに近い位置に上記水返し板１２が位置することになり、雨水の分離が効率的に行える。
【００２７】
上記水返し板１２の両側に水返し片１２ａが上記第１換気口１１ｂの一部に対向して形成されていると、上記水返し片１２ａによって雨水の分離が一層効率的に行えるようになる。
【００２８】
上記本体部１１と鼻隠し水切り部材１３とが一体化され、上記鼻隠し水切り部材１３に上記第２換気口１１ｄに連通する開口部１３ａが形成されていると、上記鼻隠し水切り部材１３を上記鼻隠し下地５４に固定することによって上記本体部１１が建物に装着されることになり、作業性が向上する。
【００２９】
軒下に傾斜配置された状態で、上記対向配置の第１換気口１１ｂにおける上側位置の第１換気口１１ｂが水返しされた水を滴下させる構成であると、水返しされた水が上記本体部１１内に溜まり続けるのを防止できる。
【００３０】
また、この実施形態の軒下換気構造であれば、上記軒下換気装置１の上記第２換気口１１ｄが鼻隠し下地５４よりも外側で野地板５１の下面側に連通しており、広子舞が不要で軒５の構造が簡単化されている。また、水返しされた水が軒下に設けられた樋５３に滴下されるようにしており、水返しされた水が軒下の地面に滴下するのを防止できる。また、上記樋５３の存在で上記軒下換気装置１が見えにくくなり、建物の意匠性が向上している。
【００３１】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３２】
１      軒下換気装置
１１    本体部
１１ａ  凹部
１１ｂ  第１換気口
１１ｃ  凹部底部
１１ｄ  第２換気口
１２    水返し板
１２ａ  水返し片
１３    鼻隠し水切り部材
１３ａ  開口部
５      軒
５０    屋根瓦
５１    野地板
５２    水切り
５３    樋
５４    鼻隠し下地
５５    垂木
５６    軒天板
【図１】
2014190080.tif 000003
【図２】
2014190080.tif 000004
【図３】
2014190080.tif 000005